(57)【要約】【課題】堤防の上方に突出する部分をなくし河川景観をよくし、ポンプゲート設置のコストを削減し、ポンプゲート設置の工期を短縮する【解決手段】昇降手段４によって上昇あるいは下降されることで水路を開放あるいは遮断する扉２に該扉２の一方の側から他方の側に向け水を強制排水する水中ポンプ３が設けられたポンプゲートであって、昇降手段４は、扉２の一方の側あるいは他方の側に設置される。【選択図】　　　　　　　　図１
2004124560.tif 000002
【特許請求の範囲】
【請求項１】
昇降手段（４）によって上昇あるいは下降されることで水路を開放あるいは遮断する扉（２）に該扉（２）の一方の側から他方の側に向け水を強制排水する水中ポンプ（３）が設けられたポンプゲートであって、
昇降手段（４）は、扉（２）の一方の側あるいは他方の側に設置されることを特徴とするポンプゲート。
【請求項２】
昇降手段（４）は、
両端が下方を向き、その一端が地面に固定されると共に、他端が扉（２）に固定されるベルト（４３）と、
ベルト（４３）を廻し掛けられ、ベルト（４３）の途中部位を下方から支持する支持部（４２）と、
支持部（４２）を上下動させる駆動手段（４１）と
を具備することを特徴とする請求項１記載のポンプゲート。
【請求項３】
駆動手段（４１）は、垂直状態で扉（２）の他方の
側に設置され、ロッド（４３）の先端に支持部（４２）が固定された油圧シリンダ（４１）であることを特徴とする請求項２記載のポンプゲート。
【請求項４】
ベルト（４３）は、チェーンであり、支持部（４２）は、チェーンローラであることを特徴とする請求項２または３記載のポンプゲート。
【発明の詳細な説明】
【０００１】
【発明の属する技術分野】
本発明は、扉に水中ポンプが設置されたポンプゲートに関する。
【０００２】
【従来の技術】
周知のように、ポンプゲートは、河川の水路を遮断する扉に水を強制排水するための水中ポンプを取り付けたものであるが、水路を開放する場合に上記扉を上方に移動させる昇降機構を備えている。この昇降機構は、扉の上部に垂直状態に設けられたラック棒を扉の上方に設けられたゲート昇降台から該ゲート昇降台に設置されると共にラック棒に噛み合う駆動装置によって上昇させることによって、ラック棒に固定された扉を上方に移動させるものである。すなわち、従来のポンプゲートは、扉及び水中ポンプを上下動させるための昇降機構が扉の上方に設けられている。
【０００３】
【特許文献１】
特開昭６１−２１８４４９号公報
【０００４】
【発明が解決しようとする課題】
つまり、通常上記ゲート昇降台及び駆動装置は、河川における河川堤防より上方に突出しているため、河川景観が悪くなるという問題点が生じる。さらに、上記扉は水中ポンプを備えているためにある程度の重量を有しているので、昇降台としてある程度大きくしっかりとしたものを設置する必要があり、これがさらに河川景観を悪くする。
【０００５】
本発明は、上述する問題点に鑑みてなされたもので、以下の点を目的とするものである。
（１）堤防の上方に突出する部分をなくし河川景観をよくする。
（２）ポンプゲート設置のコストを削減する。
（３）ポンプゲート設置の工期を短縮する。
【０００６】
【課題を解決するための手段】
上記目的を達成するために、本発明では、第１の手段として、昇降手段によって上昇あるいは下降されることで水路を開放あるいは遮断する扉に該扉の一方の側から他方の側に向け水を強制排水する水中ポンプが設けられたポンプゲートであって、昇降手段は、扉の一方の側あるいは他方の側に設置されるという構成を採用する。
【０００７】
第２の手段として、上記第１の手段において昇降手段は、両端が下方を向き、その一端が地面に固定されると共に、他端が扉に固定されるベルトと、ベルトを廻し掛けられ、ベルトの途中部位を下方から支持する支持部と、支持部を上下動させる駆動手段とを具備するという構成を採用する。
【０００８】
第３の手段として、上記第２の手段において、駆動手段は、垂直状態で扉の他方の側に設置され、ロッドの先端に支持部が固定された油圧シリンダであるという構成を採用する。
【０００９】
第４の手段として、上記第２または第３の手段において、ベルトはチェーンであり、支持部は、チェーンローラであるという構成を採用する。
【００１０】
【発明の実施の形態】
以下、図面を参照して、本発明に係わるポンプゲートの一実施形態について説明する。
【００１１】
図１は、本ポンプゲートの正面図、図２は、この正面図におけるＡ−Ａ’線矢視図である。これら図において、符号１は駆体、２はゲート（扉）、３は水中ポンプ、４は昇降部（昇降手段）である。
【００１２】
駆体１は、垂直に建てられると共にコンクリートで形成された２つの側壁部１ａと、水平に設置されると共に同様にコンクリートで形成された底部１ｂとによっての水路を囲むように河川の支流等に設置されている。この駆体１の各内壁面１ｃには所定の幅を有する一対の溝１１が対向するように、水路の底、すなわち底部１ｂの上面から所定の高さに亘って形成されている。これらの溝１１には、略直方体の板状に形状設定されたゲート２の両端が填まり込み、ゲート２は、これらの溝１１に沿って昇降部４によって昇降される。また、各内壁面１ｃには、これらの溝１１の下流側（他方の側）かつ底部１ｂ近傍に、これらの内壁面１ｃから突出した油圧シリンダ固定部１２がそれぞれ設けられると共に、該油圧シリンダ固定部１２の上方であって、さらに下流側には、これらの内壁面１ｃから突出したチェーン固定部１３がそれぞれ設けられている。
【００１３】
ゲート２の下流側の面２ａには、複数（本実施形態では２つ）の水中ポンプ３が連結されており、ゲート２には、水中ポンプ３が稼動することによって水Ｘを強制流動させるための貫通孔２１が水中ポンプ３とゲート２の各々の連結部にそれぞれ形成されている。また、ゲート２の下流側の面２ａの上部及び内壁面１ｃ近傍には、下流に向け突出した結合部２２がそれぞれ設置されている。
【００１４】
水中ポンプ３は、筒状の枠体であるポンプケーシング３ａと該ポンプケーシング３ａの内部において回転することで水流を発生する羽根車（図示せず）と、該羽根車を水平な回転軸を中心として回転させる原動機（図示せず）とから構成されている。すなわち、水中ポンプ３は、駆動することによって、ポンプケーシング３ａの一端（吸入口）から他端（排出口）に向けて水路の水を強制流動させる横軸式の水中ポンプである。この水中ポンプ３は、ゲート２の下流側の面２ａに吸入口が連結される共に、水が逆流しないように排出口にフラップ弁（図示せず）が設けられている。
【００１５】
上記昇降部４は、上記ゲート２の下流側の各々の側壁部１ａにそれぞれ設置されるものであり、油圧シリンダ４１（駆動手段）、チェーンローラ４２（支持部）及びチェーン４３（ベルト）から構成されている。これらの昇降部４は、シンメトリに設置されるものであるので、以下ではその片方について説明する。
【００１６】
油圧シリンダ４１は、圧力油により往復直線運動を行うアクチュエータであり、油圧シリンダケース４１１とロッド４１２とから構成されている。油圧シリンダケース４１１は円筒状に形状設定されており、その中心軸を垂直方向に姿勢設定されると共に、その一端が上記油圧シリンダ固定部１２に固定されている。すなわち、油圧シリンダケース４１１は、垂直状態でゲート２の下流側に設置されている。ロッド４１２は、所定の長さを有する棒部材であり、上記油圧シリンダケース４１１の内部に先端部を露出した状態で収納されている。
【００１７】
チェーンローラ４２は、回転自在に上記ロッド４１２の先端に設置されており、チェーン４３が廻し掛けられた状態でチェーン４３の途中部位を下方から支持するものである。チェーン４３は、一端が上記チェーン固定部１２の上部に固定され、他端が上記結合部２２の上部に固定されている。
【００１８】
次に、このように構成されたポンプゲートの動作について説明する。
【００１９】
ゲート２を上昇させる場合、油圧シリンダ４１は、内部の油圧を上げることによってロッド４１２を上昇させることによってロッド４１２の先端に固定されたチェーンローラ４２を垂直方向に上昇させる。すなわち、チェーン４３の途中部位は、チェーンローラ４２に下方から支持されているため、ロッド４１２の上昇によって下方から上方に力を受ける。
【００２０】
ここで、チェーン４３の一端は、駆体１に設置されたチェーン固定部１３に固定されているため、すなわち地面と固定されているためロッド４１２の上昇によって移動されないが、他端はゲート２の結合部２２に固定されているため、ゲート２は、上記ロッド４１２の上昇に伴って上昇する。また、ゲート２は、駆体１に設けられた溝１１に係合しているため、上昇する際には、上記溝１１に沿って垂直方向に上昇する。ゲート２が上昇することによって水路は開放状態になる。
【００２１】
また、ゲート２を降下させる場合、油圧シリンダ４１は、内部の油圧を下げることによってロッド４１２を下降させる。すなわち、チェーンローラ４２は上記ロッド４１２の下降に伴って下降する。すなわち、油圧シリンダ４１によってロッド４１２を下降させることで、ゲート２は、自重で上記溝１１に沿って下降し、水路を閉鎖状態になる。水路がゲート２によって閉鎖されている場合、水中ポンプ３は駆動、すなわち、原動機によって羽根車を回転させることによって、上流から下流に向けて水を強制流動させる。
【００２２】
なお、本発明は、上記実施形態に限定されるものではなく、以下のような変形例も考えられる。
（１）上記実施形態において、水中ポンプ３の吸入口をゲート２の下流側の面２ａに連結した。しかしながら、水中ポンプ３の排出口をゲート２の上流側の面に連結しても良い。この場合、上記昇降部４は、ゲート２の上流側に設置するほうが好ましい。
【００２３】
（２）上記実施形態において、水中ポンプ３に横軸式の水中ポンプを用いた。しかしながら、これに限定されるものではなく、例えば縦軸式の水中ポンプや斜流式の水中ポンプを用いても良い。
【００２４】
（３）上記実施形態において、駆動手段として油圧シリンダ４１を用いてゲート２を昇降させる動力を得た。しかしながら、これに限定されるものではなく、例えば電気機器やエンジンを用いて動力を得ても良い。
【００２５】
（４）上記実施形態において、チェーン４３の一端をチェーン固定部１３に固定することで地面と固定した。しかしながら、これに限定されるものではなく、例えば駆体１の底部１ｂに固定しても良い。
【００２６】
（５）上記実施形態において、ゲート２を直接溝１１に係合させた。しかしながら、ゲート２にローラを設け、溝１１に係合させても良い。ローラを設けることによって、駆体１とゲート２の摩擦が減少し、スムーズにゲート２の上下動ができる。
【００２７】
（６）上記実施形態において、ゲート２の下流側の各々の側壁部１ａにそれぞれ昇降部４を設置した。しかしながら、例えばゲート２が小さい場合には、昇降部４を１つだけにしても良い。
【００２８】
（７）上記実施形態において、昇降部４をシンメトリに設置した。しかしながら、必ずしも昇降部４をシンメトリに設置しなくとも良い。
【００２９】
【発明の効果】
以上説明したように、本発明によれば、昇降手段によって上昇あるいは下降されることで水路を開放あるいは遮断する扉に該扉の一方の側から他方の側に向け水を強制排水する水中ポンプが設けられたポンプゲートであって、昇降手段は、扉の一方の側あるいは他方の側に設置される。すなわち、昇降手段を扉の上方に設置する必要がないため、堤防の上方に突出する部分をなくし河川景観をよくし、ポンプゲート設置のコストを削減し、ポンプゲート設置の工期を短縮することができる。
【図面の簡単な説明】
【図１】本発明の一実施形態に係わるポンプゲートの正面図である。
【図２】図１におけるＡ−Ａ’線の断面図である。
【符号の説明】
１……駆体
１ａ……側壁部
１ｂ……底部
１１……溝
１２……油圧シリンダ固定部
１３……チェーン固定部
２……ゲート（扉）
２ａ……下流側の面
２１……貫通孔
２２……結合部
３……水中ポンプ
３ａ……ポンプケーシング
４……昇降部（昇降手段）
４１……油圧シリンダ（昇降手段，駆動手段）
４１１……油圧シリンダケース
４１２……ロッド
４２……チェーンローラ（昇降手段、支持部）
４３……チェーン（昇降手段，ベルト）
【図１】
2004124560.tif 000003
【図２】
2004124560.tif 000004